(57)【要約】      （修正有）【課題】グラジエントを行う液体クロマトグラフにおいて、各成分の溶出時間をより高精度に導出する。【解決手段】溶媒混合比の変化を成分ｃの移動度Ｒｆの（ｔ／ｔ０）の関数として表現した下記式（１）2015010874.tif 000041を記憶する手段と、式に従い溶離液を生成する手段と、成分ｃがカラムから溶出するまでの溶出時間ｔｒｃを導出する手段を備え、前記溶出時間導出手段は、式（２）（３）によって表された移動度Ｒｆｃ（ｔ／ｔ０）によって溶出時間を算出する。2015010874.tif 0000422015010874.tif 000043【選択図】なし【特許請求の範囲】
【請求項１】
溶媒の混合比を変化させて行う液体カラムクロマトグラフに使用できる液体クロマトグラフ装置であって、
カラムに導入する溶媒の混合比の変化関係式を成分ｃの移動度Ｒｆの（ｔ／ｔ０）の関数として表現した下記式（１）
【数１】
2015010874.tif 000030
（式中、ｔ０は溶離液がカラムに流入し始めてから溶離液がカラムから流出し始めるまでの時間）
を記憶する混合比変化式記憶手段と、
前記混合比変化関係式記憶手段が記憶した前記変化関係式に従って前記２つの溶媒の混合比が連続的に変化する溶離液を生成する混合手段と、
前記混合手段によって得られた溶離液を連続的にカラムに導入するポンプと、
前記試料が前記カラムに流入し始めてから成分ｃが前記カラムから溶出するまでの溶出時間ｔｒｃを導出する溶出時間導出手段とを備えており、
前記溶出時間導出手段は、式（２）（５）によって表された移動度Ｒｆｃ（ｔ／ｔ０）の式によってｔｒｃを算出することによって溶出時間を算出するものであることを特徴とする液体クロマトグラフ。
【数２】
2015010874.tif 000031
【数３】
2015010874.tif 000032
（ｂは初期移動度に関連した定数）
【請求項２】
溶媒の混合比を変化させて行う液体カラムクロマトグラフにおいて使用される溶出時間導出手段を有する溶出時間導出装置であって、
試料が前記カラムに流入し始めてから前記試料に含まれる成分ｃが前記カラムから溶出するまでの溶出時間ｔｒｃを導出する溶出時間導出装置であり、
カラムに導入する溶媒の混合比の変化関係式を成分ｃの移動度Ｒｆの（ｔ／ｔ０）の関数として下記式（１）
【数４】
2015010874.tif 000033
（式中、ｔ０は溶離液がカラムに流入し始めてから溶離液がカラムから流出し始めるまでの時間）
で表した場合に、
前記溶出時間導出手段は、式（２）（５）によって表された式によってｔｒｃを算出することによって溶出時間を算出するものであることを特徴とする溶出時間導出装置。
【数５】
2015010874.tif 000034
【数６】
2015010874.tif 000035
（ｂは初期移動度に関連した定数）
【請求項３】
カラムに導入する溶媒の混合比の変化関係式
【数７】
2015010874.tif 000036
（式中、ｔ０は溶離液がカラムに流入し始めてから溶離液がカラムから流出し始めるまでの時間）
を記憶する混合比変化式記憶手段と、
前記試料が前記カラムに流入し始めてから前記成分ｃが前記カラムから溶出するまでの溶出時間ｔｒｃを導出する溶出時間導出手段とを備えており、
前記溶出時間導出手段は、下記式（２）（５）によってｔｒｃを算出することによって溶出時間を算出するものであることを特徴とする溶出時間導出用プログラム。
【数８】
2015010874.tif 000037
【数９】
2015010874.tif 000038
（ｂは初期移動度に関連した定数）
【請求項４】
溶媒の混合比を変化させて行う液体カラムクロマトグラフに使用できる液体クロマトグラフ装置であって、
サンプルに与えられる溶媒のグラジエントパターンを表す式（６）
【数１０】
2015010874.tif 000039
（式中、ｔ０は溶離液がカラムに流入し始めてから溶離液がカラムから流出し始めるまでの時間）
を入力するグラジエントパターン入力手段と、
前記グラジエントパターン入力手段によって入力されたグラジエントパターンを表す式を式（７）
【数１１】
2015010874.tif 000040
に基づいてカラムに導入する溶媒の混合比の変化関係式に変換する数式変換手段と、
前記溶媒の混合比の変化関係式に従って前記２つの溶媒の混合比が変化する溶離液を生成する混合手段と、
前記混合手段によって得られた溶離液を連続的にカラムに導入するポンプと
を備える特徴とすることを特徴とする液体クロマトグラフ。
【発明の詳細な説明】
【技術分野】
【０００１】
本発明は、液体クロマトグラフ、溶出時間導出装置及び溶出時間導出用プログラムに関する。
【背景技術】
【０００２】
液体クロマトグラフにおいては、固定相が充填されたカラムに、複数の成分を有する試料、及び、溶離液が流される。そして溶離液とともにカラムに流入した試料は、カラムに充填された固定相に吸着しつつ溶離液の流下に伴って移動し、所定時間後にカラムから排出される。ここで、試料に含まれた各成分が排出されるのに要する時間は、溶離液との親和性及びカラムの固定相と各成分との相互作用などに依存し、成分ごとに異なる。つまり、溶離液との親和性が弱いもの及び固定相との相互作用が強いものは、カラム内に長く留まる。また、逆に、溶離液との親和性が強いもの及び固定相との相互作用が弱いものは、早く排出される。これによって、カラムを通過する試料が成分ごとに分離されて溶出する。
【０００３】
このような液体クロマトグラフの使用に当たっては、溶離液として使用する溶媒が溶出時間に与える影響が非常に大きい。したがって、最適な分離条件を得るために、複数種の溶媒を組み合わせて使用することも一般的に行われている。更に、複数種の溶媒を組み合わせる場合に、一定の混合比の溶離液を使用するのではなく、その混合比を徐々に変化させること（これをグラジエントという）によって、試料の固定相との相互作用を調整し、より精密な分離を図ることも行われている。
【０００４】
本発明者は、液体クロマトグラフにおいて、プログラム等を使用して各成分の溶出時間を予測することについて検討を行ってきた。上述したようなグラジエントを行った場合における溶出時間の予測を行う方法として、本発明者は特許文献１を完成した。特許文献１は、下記式（２）
【０００５】
【数１】
2015010874.tif 000002
【０００６】
によって、グラジエントを行った場合の溶出時間を予測する方法である。しかしながら、その後の検討によって、実際の溶出時間は上記式（２）によって算出された溶出時間との間にずれを生じる場合があることが明らかとなった。（２）の式は、カラム入口にかかる移動度の積分であるため、実際のサンプルに与えられる移動度ではない。そこで、この点を補正するための発明として特許文献２を完成した。
【０００７】
特許文献２においては、直線的に複数種の溶媒の混合比を変化させる液体クロマトグラフにおいて、特許文献１において示した計算式を補正し、下記式（２），（４）によって、カラム入口の移動度ではなく、カラム内を移動しているサンプルに与えられる移動度を算出することにより、きわめて正確に溶出時間を算出できることを見出し、このような機能を備えた液体クロマトグラフ装置を提供することに成功した。
【０００８】
【数２】
2015010874.tif 000003
【０００９】
【数３】
2015010874.tif 000004
【００１０】
しかしながら、特許文献２における発明は、直線的に複数種の溶媒の混合比を変化させる液体クロマトグラフにおいてのみ適用できる方法であり、非直線的に複数の溶媒の混合比を変化させる場合には適用できなかった。他方では、近年、より精密な分離を行うために、非直線的なグラジエントを行うことによるクロマトグラフが提案されている（特許文献３）。したがって、非直線的なグラジエントを行った場合においても正確に溶出時間を算出することができ、また、溶媒の適切なグラジエント方法を判定することができるようなクロマトグラフが要求されている。
【先行技術文献】
【特許文献】
【００１１】
【特許文献１】特開２００７−３３９８号公報
【特許文献２】特開２０１３−５４０２８号公報
【特許文献３】国際公開２０００／７２００１号公報
【発明の概要】
【発明が解決しようとする課題】
【００１２】
本発明の目的は、任意のグラジエントを行った液体クロマトグラフにおいて、試料に含まれる各成分の溶出時間をより高精度に導出できる液体クロマトグラフを提供することである。
【００１３】
本発明の別の目的は、液体クロマトグラフにおいて試料に含まれる成分を所定の溶出時間で溶出させるための２つの溶媒の混合比の変化をより高精度に導出できる液体クロマトグラフを提供することである。
【課題を解決するための手段】
【００１４】
本発明は、溶媒の混合比を変化させて行う液体カラムクロマトグラフに使用できる液体クロマトグラフ装置であって、カラムに導入する溶媒の混合比の変化関係式を成分ｃの移動度Ｒｆの（ｔ／ｔ０）の関数として表現した下記式（１）
【００１５】
【数４】
2015010874.tif 000005
（式中、ｔ０は溶離液がカラムに流入し始めてから溶離液がカラムから流出し始めるまでの時間）
【００１６】
を記憶する混合比変化式記憶手段と、
前記混合比変化関係式記憶手段が記憶した前記変化関係式に従って前記２つの溶媒の混合比が連続的に変化する溶離液を生成する混合手段と、
前記混合手段によって得られた溶離液を連続的にカラムに導入するポンプと、
前記試料が前記カラムに流入し始めてから成分ｃが前記カラムから溶出するまでの溶出時間ｔｒｃを導出する溶出時間導出手段とを備えており、
前記溶出時間導出手段は、式（２）（５）によって表された移動度Ｒｆｃ（ｔ／ｔ０）の式によってｔｒｃを算出することによって溶出時間を算出するものであることを特徴とする液体クロマトグラフである。
【００１７】
【数５】
2015010874.tif 000006
【００１８】
【数６】
2015010874.tif 000007
（ｂは初期移動度に関連した定数）
【００１９】
本発明は、溶媒の混合比を変化させて行う液体カラムクロマトグラフにおいて使用される溶出時間導出手段を有する溶出時間導出装置であって、
試料が前記カラムに流入し始めてから前記試料に含まれる成分ｃが前記カラムから溶出するまでの溶出時間ｔｒｃを導出する溶出時間導出装置であり、
カラムに導入する溶媒の混合比の変化関係式を成分ｃの移動度Ｒｆの（ｔ／ｔ０）の関数として下記式（１）
【００２０】
【数７】
2015010874.tif 000008
（式中、ｔ０は溶離液がカラムに流入し始めてから溶離液がカラムから流出し始めるまでの時間）
【００２１】
で表した場合に、
前記溶出時間導出手段は、式（２）（５）によって表された式によってｔｒｃを算出することによってサンプルの溶出時間を算出するものであることを特徴とする溶出時間導出装置でもある。
【００２２】
【数８】
2015010874.tif 000009
【００２３】
【数９】
2015010874.tif 000010
（ｂは初期移動度に関連した定数）
【００２４】
本発明は、溶媒の混合比の変化関係式
【数１０】
2015010874.tif 000011
を記憶する混合比変化式記憶手段と、
前記試料が前記カラムに流入し始めてから前記成分ｃが前記カラムから溶出するまでの溶出時間ｔｒｃを導出する溶出時間導出手段とを備えており、
前記溶出時間導出手段は、下記式（２）（５）によってｔｒｃを算出することによって溶出時間を算出するものであることを特徴とする溶出時間導出用プログラムでもある。
【００２５】
【数１１】
2015010874.tif 000012
【００２６】
【数１２】
2015010874.tif 000013
（ｂは初期移動度に関連した定数）
【００２７】
本発明は、溶媒の混合比を変化させて行う液体カラムクロマトグラフに使用できる液体クロマトグラフ装置であって、
サンプルに与えられる溶媒のグラジュエントパターンを表す式（６）
【００２８】
【数１３】
2015010874.tif 000014
（式中、ｔ０は溶離液がカラムに流入し始めてから溶離液がカラムから流出し始めるまでの時間）
【００２９】
を入力するグラジエントパターン入力手段と、
前記グラジエントパターン入力手段によって入力されたグラジエントパターンを表す式を式（７）
【００３０】
【数１４】
2015010874.tif 000015
【００３１】
に基づいてカラムに導入する溶媒の混合比の変化関係式に変換する数式変換手段と、
前記溶媒の混合比の変化関係式に従って前記２つの溶媒の混合比が変化する溶離液を生成する混合手段と、
前記混合手段によって得られた溶離液を連続的にカラムに導入するポンプと
を備える特徴とすることを特徴とする液体クロマトグラフでもある。
【発明の効果】
【００３２】
本発明によると、任意のグラジエントを行ったクロマトグラフにおいて、試料中に含まれる各成分の溶出時間を事前に高精度に予測できるため、複数の成分の分離の程度を測定者が容易に事前に把握することが可能となり、混合比の変化関係式を評価することができる。
【００３３】
また、本発明によると、所望溶出時間に対する成分に係る移動度を高精度に導出することができるので、成分の分離に十分な溶出時間が確保された、短い溶出時間での液体クロマトグラフが可能となる。
【００３４】
更に、事前に各成分の溶出時間を知ることができるため、種々のグラジエント条件について比較検討を行い、もっとも効率よく各成分を分離できるグラジエント条件がどのようなものであるかを実験前に予測することができる。これによって、液体クロマトグラフによる分離の効率化を図ることができる。
【００３５】
更に、液体クロマトフラフを行うサンプルにおける各成分の性質から予測される最適なグラジエント式に基づく液体クロマトグラフを行おうとする場合、当該グラジエント式に適応した最適な溶媒の混合比の変化式をえることができ、正確なグラジエントを行うことができる。このため、理論に基づいた正確な液体クロマトグラフを行うことができる。
【図面の簡単な説明】
【００３６】
【図１】本発明の一実施形態である第１実施形態に係る液体クロマトグラフの概略図である。
【図２】図１に示される液体クロマトグラフによるクロマトグラフに先立って行われる薄層クロマトグラフで用いられるＴＬＣ装置の概略図である。
【図３】図２に示される薄層板における試料中の成分の移動を示す図である。
【図４】図２に示されるＴＬＣ装置による薄層クロマトグラフから得られる移動度と混合比との関係を示すグラフである。
【図５】第１の本発明における方法によってサンプルの移動度を算出した結果を示す図の一例。
【図６】第１の本発明における方法によってサンプルの移動度を算出した結果を示す図の一例。
【図７】第２の本発明における方法によって導かれた溶離液の溶媒の混合比の変化関係式の結果を示す図の一例。
【発明を実施するための形態】
【００３７】
上述したように、グラジエントを行った場合は溶媒の混合比が変化することに対応してサンプル中の成分のＲｆ値が変化する。このＲｆ値の変化に基づいて理論的に溶出時間を算出する場合、特許文献１に記載されたような理論に基づいて溶出時間を算出すると、実際の溶出時間との間に差を生じる場合がある。よって、特許文献１の算出式に対して補正を行う必要がある。
【００３８】
本発明においては、このような関係式について検討を行い、より正確に溶離液として使用する溶媒の混合率の変化式と溶出時間との関係を明らかにすることができ、これによって、精密な液体クロマトグラフを行える方法、および、これに使用する液体クロマトグラフを提供するものである。
【００３９】
引用文献１の方法で完全に正確な予測ができない場合が生じる原因は、溶媒の混合比を変化させた場合、式（２）におけるＲｆＣ値として、カラムに注入された溶媒の混合比に対応した値を採用している点にある。現実には、成分ｃのＲｆｃ値は、その時点で成分ｃが存在する位置にある溶媒に対応したＲｆｃ値であり、ここに一定のずれが生じてしまう。よって、この時間のずれを反映させた計算式に修正することで、このような問題は解決される。本発明においては、このような点を考慮して、溶出時間を算出したものである。
【００４０】
本発明は、より具体的には、溶媒の混合比の変化式を決定した後に溶出時間を決定する態様（以下、これを第１の本発明と記す）と、溶出時間から逆算して得られたグラジエント方法を数式化した後、この数式に対応した溶媒の混合比の変化式を決定する態様（以下、これを第２の本発明）とが考えられる。本明細書においては以下、これらを順次説明し、そののちに、具体的な液体クロマトグラフ装置について説明する。
【００４１】
［第１の本発明について］
第１の本発明においては、溶離液の溶媒の混合比の変化関係式と、別途得られたサンプル中の成分についてのＲｆと溶媒の混合比との関係に基づいてサンプルの溶出時間を計算し、これによって最適な液体クロマトグラフを行うための条件を選定するものである。これによって、各成分の溶出時間が明らかな状態で液体クロマトグラフを行うことができるため、液体クロマトグラフの操作も便利なものとなる。
【００４２】
第１の本発明において、溶出時間を明らかにするためには、
（１）溶媒混合比の時間変化
（２）使用する混合溶媒において、溶媒混合比とサンプル中に含まれる成分のＲｆ値の関係を示す関係式
が必要である。（１）は、液体クロマトグラフを行う作業者が設定して、入力するものである。（２）は、各成分について混合溶媒の混合比とカラム充填剤の種類に応じて決まる固有値であり、実際に液体クロマトグラフ又は薄層クロマトグラフを行うことによって測定を行うことができる。
【００４３】
＜薄層クロマトグラフ＞
以下は、薄層クロマトグラフ（ＴＬＣ：thin layer chromatography）に係る説明である。本発明において、薄層クロマトグラフは、液体クロマトグラフにおける試料の各成分の移動度と溶媒の混合比との関係式を導出するために行われる。すなわち、薄層クロマトグラフ等によって各成分の移動度と溶媒の配合比との関係を明らかにして、この関係式を各成分の溶出時間を予想において利用する。
【００４４】
図２は、薄層クロマトグラフに用いられるＴＬＣ装置３０の概略図である。
ＴＬＣ装置３０は、薄層板３１及び容器３２を有している。容器３２には、液体クロマトグラフ１１によるクロマトグラフに用いられる溶媒と同様の溶媒を所定の混合比で混合した、溶離液３３が貯留される。本実施形態においては、上記のように、溶離液３３として溶媒Ａ及びＢが用いられる。また、薄層板３１は、液体クロマトグラフ１１に用いられる固定相と同様の材料からなり、本実施形態ではシリカゲルが用いられている。薄層板３１には、液体クロマトグラフ１１によるクロマトグラフの試料と同じ成分を有する試料３が設置される。試料３が設置された薄層板３１は、図２に示されるように、容器３２に貯留された溶離液３３に浸される。
【００４５】
薄層板３１が溶離液３３に浸されると、毛管作用により溶離液３３が薄層板３１に吸い上げられていく。薄層板３１に設置された試料３に含まれる成分ｃは、溶離液３３の移動に伴って、徐々に上方に移動する。そして、薄層板３１が溶離液３３に浸されてから、薄層板３１に浸透した溶離液３３の上端部分が薄層板３１の上端に達するまでに要する時間に基づいて、成分ｃに係る移動度Ｒｆｃが求められる。図３は、このときの薄層板３１の様子を示している。薄層板３１における試料３の初期位置Ｓを基準位置とし、基準位置から薄層板３１の上端までの長さを基準長さ１．０としたとき、移動度Ｒｆｃは基準長さに対する基準位置からの成分ｃの移動距離（０≦Ｒｆｃ≦１．０）として求められる。
【００４６】
上記のような薄層クロマトグラフにより、混合比と移動度との関係が求められる。なお、一般に、混合溶媒中での成分ｃの移動度は、２種の溶媒の混合比に対する関数で表される。よって、１つの成分について、少なくとも２種類の混合比の混合溶媒に対してＲｆ値を測定すれば、これによってＲｆ値と混合溶媒の混合比との関係を関数としてあらわすことができる。
【００４７】
図４は、薄層クロマトグラフから得られた混合比の変化と移動度の変化との関係の一例を示している。この例は、２つの溶媒の混合比がｒに設定されて行われた薄層クロマトグラフによって、ある成分の移動度がＲと求められた場合を示している。したがって、混合比と移動度との関係は、横軸が混合比、縦軸が移動度を示す平面において、点（ｒ，Ｒ）を通る直線４１によって表される。
【００４８】
＜液体クロマトグラフによるＲｆ値の測定方法＞
溶媒組成を変化させることのない液体カラムクロマトグラフにおいては、特定の成分ｃが溶出する時間をｔｒｃ０、溶離液が前記カラムに流入し始めてから前記溶離液が前記カラムから流出し始めるまでの時間をｔ０とすると、Ｒｆとｔｒｃ０、ｔ０とは、
Ｒｆｃ０＝ｔ０／ｔｒｃ０
の関係となる。したがって、溶媒の混合比を変化させない液体カラムクロマトグラフを溶媒組成の異なる２点について行って、ｔｒｃ０を測定することによっても、Ｒｆｃと溶媒の混合比との関係を明らかにすることができる。
【００４９】
＜溶媒混合比の変化式＞
本発明においては、溶媒の組成を変化させながら液体カラムクロマトグラフを行うものである。
この関係は、時間ｔにおける溶媒Ａの含有割合ｘ％とすると、
ｘ＝ｆ（ｔ）
として、ｘを任意の時間の関数とすることで表現することができる。
【００５０】
一方、図４において上述したように、特定の成分ｃに着目して考えれば、溶媒Ａの含有割合がｘ０％という特定の値となる場合、その特定の混合比に対応した成分ｃのＲｆ（ｘ０）値が特定の値として存在する。これは上述した方法で明らかにしたＲｆｃと溶媒の混合比との関係から容易に導き出すことができる。
したがって、溶媒の混合比は、溶媒Ａの含有割合ではなく、特定の成分ｃのＲｆ値であるＲｆｃの時間変化の関数としてあらわすことができる。更に、当該関係において、時間ｔではなく、（ｔ／ｔ０）（式中、ｔ０は溶離液がカラムに流入し始めてから溶離液がカラムから流出し始めるまでの時間）によってあらわすこともできる。
以上の観点から、溶媒組成の変化式は、サンプル中の成分ｃの移動度に着目して、
【００５１】
【数１５】
2015010874.tif 000016
として、時間ｔと上記ｔ０の比（ｔ／ｔ０）と、時間ｔの時点における溶媒混合比に対応したｃの移動度Ｒｆｃとの関係式で表すことができる。
【００５２】
なお、複数の成分を含有するサンプルの分離において液体カラムクロマトグラフを使用する場合は、それぞれの成分について、溶媒の混合比の変化式を上記式（１）の形で表すことができる。成分ごとに溶出時間を算出する必要がある場合は、上記式（１）を成分毎に作成する必要がある。
【００５３】
＜溶出時間の算出＞
一方、特許文献１における知見において、特定成分ｃの溶出時間ｔｒｃ
【００５４】
【数１６】
2015010874.tif 000017
で求められることが知られている。
しかしながら、上述した式（１）で示されたＲｆｃを式（２）に適用しても、実際の溶出時間に対応したｔｒｃが算出できない場合があった。
【００５５】
本発明においては、以下の式（５）
【００５６】
【数１７】
2015010874.tif 000018
（ｂは、初期移動度に関連した定数）
【００５７】
という関係式を式（２）に導入することでより正確な溶出時間の算出時間が算出できることを見出したものである。
【００５８】
なお、式中、定数ｂは、液体クロマトグラフに導入する最初の溶媒に対する成分ｃのＲｆ値を表す初期移動度Ｒｆ０から導くことができる定数である。具体的には、ｂ＝ｌｎ（１−Ｒｆ０）である。ｂは薄層クロマトグラィ（ＴＬＣ）又はカラムを用いた液体クロマトグラフでＲｆ０を測定することによって得られる。
【００５９】
式（３）を式（２）に適用することで、ｔｒｃを正確に算出することができ、これによって成分ｃの溶出時間を算出することができる。このような方法で算出されたｔｒｃは、実際の実験結果との対応関係も良好である。
【００６０】
また、試料中の複数成分のそれぞれについて上記操作を行うことによって、複数の成分に対してｔｒｃを得ることもできる。これによって、各成分の溶出時間を知ることができるから、これによって良好な分離が行われるかどうかの予測を事前に行うこともできる。すなわち、各成分のｔｒｃが非常に近い値となる場合は、グラジエント条件が不適切と判断されるため、新たなグラジエント条件を設定したり、より長いカラムを使用したりして、良好な分離が行われるように条件を変更することが好ましい。また、特定成分の溶出時間が過剰に長くなると予測される場合には、一般式（１）を変化させることによって、最適な条件の検討を行うこともできる。
【００６１】
以下、具体的な例に基づいて上記式による算出を行う。
図５、６には、ｔ／ｔ０に対する移動度Ｒｆｃ（ｔ／ｔ０）の各種の変化の様子を表したグラフを示した。
【００６２】
図５においては、特定の成分ｃに対して、
【数１８】
2015010874.tif 000019
の関係となるようにカラムに導入する溶媒の混合比を変化させるグラジエントをかけたものである。
この場合、当該式を上記式（５）に適用することによって、
【００６３】
【数１９】
2015010874.tif 000020
の関係が導き出せる。このような関係を図５に示す。
このようにして得られたＲｆの値を式（２）に適用して積分を行うことによって、成分ｃの溶出時間を算出することができる。
【００６４】
同様に、図６においては、
【００６５】
【数２０】
2015010874.tif 000021
【００６６】
の関係となるようにカラムに導入する溶媒の混合比を変化させるグラジエントをかけたものである。
この場合、当該式を上記式（５）に適用することによって、
【００６７】
【数２１】
2015010874.tif 000022
の関係が導き出せる。このような関係を図６に示す。
このようにして得られたＲｆの値を式（２）に適用して積分を行うことによって、成分ｃの溶出時間を算出することができる。
【００６８】
このように、本発明の液体クロマトグラフを使用することによって、任意のグラジエントを行った場合の正確な溶出時間を導くことができるものである。
【００６９】
［第２の本発明について］
第２の本発明においては、溶出時間を先に設定して、適切な溶出時間を得るための溶媒の混合比の変化関係式を導き出し、このようにして導かれた溶媒の混合比の変化関係式に応じた液体クロマトグラフを行うものである。すなわち、サンプル中に存在する各成分のＲｆ値と溶媒の混合割合の関係を上述した方法によって明らかにすれば、式（２）
【００７０】
【数２２】
2015010874.tif 000023
のｔｒｃを目的の溶出時間として、複数種の成分ｃに対してそれぞれ目的の溶出時間を設定することで、最適な液体クロマトグラフのグラジエント条件をＲｆｃの時間変化の関係式としてあらわすことができる。
【００７１】
このようにして表されたＲｆｃの時間を変数とする関係式は、
【００７２】
【数２３】
2015010874.tif 000024
【００７３】
とすることができる。
なお、このような関係式は、作業者が所定の測定値に基づいて設定して作成し、入力するものであってもよいし、条件に応じて関係式作成プログラムによって作成するものであってもよい。
【００７４】
そして、溶出時間に基づいて決定された式（６）に基づく、移動度と時間との関係による正確な液体クロマトグラフを行うためには、上述したようなカラム入口部分と各成分との溶媒比の相違を反映させて、溶媒の混合比の変化関係式を導き出す必要がある。より適切な溶媒の混合比の変化関係式を得るには、上述した第１の本発明の計算方法を逆に行うことが必要である。このようにして、良好なグラジュエントを得るための溶媒の混合比の変化関係式を設定することが第２の本発明の特徴である。
【００７５】
第２の本発明においては、まず、サンプル中に存在する各成分について、既に詳述した薄層クロマトグラフにより、混合比と移動度との関係を明らかにする。そして、この関係から、サンプルに対してどのようなグラジエントがかかれば、良好な分離を行うことができるか、という点について予測を行う。成分毎に混合比と移動度が分かれば、ある程度直線的な変化によってグラジエントをかけたほうがよいか、あるいは上に凸となるような曲線的な変化を行うことが好ましいか、下に凸となるような曲線的な変化を行うことが好ましいか、等のおおよその見当をつけることができる。また、このような混合比と移動度との関係式の作成をプログラムによって自動的に行ってもよい。
【００７６】
そして、各成分が所定の溶出時間となるように予測される式（６）を決定することができる。すなわち、
【００７７】
【数２４】
2015010874.tif 000025
【００７８】
として、最適な溶出時間を有するような条件として各成分の時間ｔにおけるＲｆ値を表す式を得ることができる。
【００７９】
なお、当該式（６）を上記式（２）に適用すれば、各成分のｔｒｃは容易に算出できるから、これによって、適切な溶出時間が得られる関係式であるか否かの確認ができる。
【００８０】
第２の本発明においては、このような関係式（６）に基づくＲｆ変化をカラム内に存在する各成分に適用させるために、カラムに導入する溶媒の混合比変化式を得るものである。このようにして得られた、溶媒の混合比変化式にもとづいて溶媒の混合比を変化させて液体クロマトグラフに導入することによって、理論によって導いたとおりの溶出時間を有する液体クロマトグラフを行うものである。
【００８１】
上記（６）の関係式からカラムに導入する溶媒の混合比の変化式を求める方法は、上述した第１の本発明の計算式と完全に逆の計算を行えばよい。
すなわち、上記数式（５）（６）を組み合わせることによって、
【００８２】
【数２５】
2015010874.tif 000026
【００８３】
の関係が導かれる。
なお、上記式（８）中のｂｘは、初期移動度に対する定数であり、上述したｂと同様に実測によって測定することができる。
これを整理することで、
【００８４】
【数２６】
2015010874.tif 000027
【００８５】
の関係式を導くことができる。これによって、理論的に算出された所定の時間における成分ｃに対するＲｆ値の式に基づいてカラムに導入する溶媒の混合比の変化式を得ることができる。
【００８６】
以下に、具体的な例によって更に説明する。
例えば、式（２）使用した検討によって、各成分について所定の溶出時間を得るためのＲｆ値の時間変化の最適な式が、
【００８７】
【数２７】
2015010874.tif 000028
【００８８】
であることが明らかになった場合を例に説明する。
【００８９】
上記（６）式にこれを代入することで、
【００９０】
【数２８】
2015010874.tif 000029
【００９１】
の式を導くことができる。
これを図７に示す。
このような式によってあらわされた溶媒の混合比の変化式に従って、カラムに導入する溶媒の混合比を変化させることによって、当初設定した条件で予測された溶出時間で各成分を取り出すことができ、精密な分離を容易に行うことができる。
【００９２】
［液体クロマトグラフ装置］
本発明は、上述したような溶媒の混合比の変化関係式と溶出時間との関係を用いて制御する液体クロマトフラフ装置に関するものである。
上述した第１の本発明を行う場合も、第２の本発明を行う場合も使用する装置は本質的に同一であり、いずれの場合も、混合比変化式記憶手段と、前記混合比変化関係式記憶手段が記憶した前記変化関係式に従って前記２つの溶媒の混合比が連続的に変化する溶離液を生成する混合手段と、前記混合手段によって得られた溶離液を連続的にカラムに導入するポンプと、前記試料が前記カラムに流入し始めてから成分ｃが前記カラムから溶出するまでの溶出時間ｔｒｃを導出する溶出時間導出手段を備えた液体クロマトグラフ装置によって発明を実施することができる。
【００９３】
なお、第２の本発明の場合、上記構成を備えた装置に、上記（６）で示される関係式を入力し、これから混合比変化関係式を得て、これに基づいて混合手段を制御することによって使用するものであるから、使用方法は異なる。しかしながら、計算は逆算によって行うものであるから、使用態様が異なるのみであり、使用する装置は実質的に同一のものとすることができる。
【００９４】
したがって、第２の本発明においては、グラジエントパターン入力手段と、前記グラジエントパターン入力手段によって入力されたグラジエントパターンを表す式を式（７）に基づいて溶媒の混合比の変化関係式に変換する数式変換手段と、前記溶媒の混合比の変化関係式に従って前記２つの溶媒の混合比が変化する溶離液を生成する混合手段と、前記混合手段によって得られた溶離液を連続的にカラムに導入するポンプを有する液体クロマトグラフとして表現されているが、（Ａ）上記溶出時間導出手段に対してグラジエントパターンを入力する入力手段を備え、（Ｂ）上記溶出時間導出手段で逆算することによって混合比変化関係式を導き出している、と考えれば、これらは実質的に同一の手段である。
【００９５】
したがって、本発明の液体クロマトグラフは、本発明１及び本発明２の両方の態様に対応できる液体クロマトグラフとすることができる。
以下にこれを具体的に説明する。
【００９６】
＜液体クロマトグラフの概略構成＞
液体クロマトグラフ１１は、溶媒Ａ及びＢをそれぞれ貯留した容器１２及び１３、電磁弁１４、ポンプＰ１、並びに、容器１５（以上、混合手段）を有している。容器１２及び１３が貯留した溶媒Ａ及びＢは、ポンプＰ１によって汲み上げられ、いったん容器１５に貯留される。このとき、汲み上げられる溶媒Ａ及びＢのそれぞれの量は、電磁弁１４によって調節されている。これによって、電磁弁１４によって調節された混合比で溶媒Ａ及びＢが混合され、容器１５において移動相となる溶離液１０が形成される。
【００９７】
溶離液として用いられる溶媒は２種類に限定されず、使用状態・目的に応じてその数が増やされる。一般に、溶媒Ａ及びＢには、非極性分子及び極性分子が用いられる。
【００９８】
液体クロマトグラフ１１は、さらに、ポンプＰ２、インジェクター１７、及び、カラム１８を有している。ポンプＰ２は、容器１５に貯留された溶離液１０を汲み上げて、インジェクター１７へと流し出す。インジェクター１７には、複数の成分を含んでいる試料が設置されている。インジェクター１７に設置された試料は、ポンプＰ２によって汲み上げられた溶離液とともに、カラム１８へと流し出される。
【００９９】
カラム１８には、固定相が充填されている。本実施形態においては、固定相には通常、シリカゲルが用いられている。但し、特殊な分離が必要とされる場合は、それ以外の固定相が使用されるものであってもよい。移動相である溶離液１０とともにカラム１８に流入した試料は、カラム１８の固定相に吸着しつつ溶離液１０の流下に従って移動し、所定時間後にカラムから排出される。ここで、試料に含まれた各成分が排出されるのに要する時間は、溶離液との親和性やカラムの固定相と各成分との相互作用などに依存し、成分ごとに異なる。つまり、溶離液との親和性が弱いもの、及び、固定相との相互作用が強いものは、カラム内に長く留まる。また、逆に、溶離液との親和性が強いもの、及び、固定相との相互作用が弱いものは、早く排出される。これによって、カラムに設置された試料が成分ごとに分離されて溶出する。
【０１００】
液体クロマトグラフ１１は、さらに、検知器１９及びフラクションコレクター２０を有している。検知器１９は、カラム１８から溶出される試料の各成分を検知する。フラクションコレクター２０は、検知器１９の検知結果に基づいて、試料に含まれる各成分をそれぞれ異なる試験管に収容する。
【０１０１】
液体クロマトグラフ１１は、さらに、液体クロマトグラフ制御装置２１を有している。液体クロマトグラフ制御装置２１は電磁弁１４に電気的に接続されている。そして、液体クロマトグラフ制御装置２１は、後述のように、電磁弁１４を制御して、溶媒Ａ及びＢの混合比を調節する。また、液体クロマトグラフ制御装置２１は、図示されないポンプＰ１及びＰ２の駆動モータに電気的に接続されており、ポンプＰ１及びＰ２の駆動を制御する。
【０１０２】
＜液体クロマトグラフの概略＞
上記のような構成を有する液体クロマトグラフ１１によって、液体クロマトグラフが以下のように行われる。
【０１０３】
まず、容器１２及び１３に溶媒Ａ及びＢが貯留される。そして、インジェクター１７に試料が設置される。
【０１０４】
次に、液体クロマトグラフ制御装置２１が、電磁弁１４を制御して混合比を調節しつつ、ポンプＰ１の駆動を制御して、ポンプＰ１に溶媒Ａ及びＢを汲み上げさせる。このとき、液体クロマトグラフ制御装置２１は、設定された混合比の変化反応式に従って混合比を調節する。汲み上げられた溶媒Ａ及びＢは、調節された混合比で混合され、溶離液１０として、いったん容器１５に貯留される。
【０１０５】
次に、液体クロマトグラフ制御装置２１が、ポンプＰ２の駆動を制御して、ポンプＰ２に容器１５に貯留された溶離液１０を汲み上げさせる。汲み上げられた溶離液１０は、インジェクター１７に設置された試料とともに、カラム１８に流入する。カラム１８に流入した試料に含まれる各成分は、成分ごとに分離され、所定時間経過後にカラム１８から溶出する。その際、各成分の溶出時間が算出されているから、これを液体クロマトグラフ装置に表示させることが好ましい。また、各フラクションの取得を算出された溶出時間に応じて適宜行うサンプル取得手段を備えたものであってもよい。
【０１０６】
なお、本明細書において、「試料中の成分がカラムから溶出する時」とは、カラム１８から溶出される試料中の成分の単位時間当たりの量が最大となる時にほぼ相当するものである。
【０１０７】
＜液体クロマトグラフ制御装置＞
以下は、液体クロマトグラフ制御装置２１についての説明である。
【０１０８】
液体クロマトグラフ制御装置２１の機能は、汎用のコンピュータ及び所定のプログラムによって実現されている。このコンピュータには、ＣＰＵ、ＲＯＭ、ＲＡＭ、ハードディスク、ＦＤやＣＤの駆動装置などのハードウェアが収納されており、ハードディスクには、このコンピュータを液体クロマトグラフ制御装置として機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、記憶部及び制御処理部が構築されている。
【０１０９】
本発明の液体クロマトグラフ制御装置は入力手段も備えており、ＴＬＣ等によって導かれる図４に示したような関係、溶媒の混合比の変化関係式等の、本発明の目的を達成する上で必要とされる各種情報を作業者が入力する手段を有するものである。
【０１１０】
当該制御装置においては、上述した本発明の目的を達成する上で必要とされる各種関係式がすべて記憶されており、それぞれ目的に応じて呼び出されて、入力されたデータに基づいて必要な演算を行い、更に、入力された溶媒の混合比の変化関係式、又は、算出された溶媒の混合比の変化関係式に基づいて、溶離液における溶媒の混合比を制御する。更に、算出された各成分の溶出時間数値又はグラフとして表示手段上に表示し、作業者に情報を提供するものである。
【０１１１】
すなわち、これによって、第一の本発明においては、使用者が入力又は選択した混合比変化式を制御装置中の混合比変化式記憶手段に記憶させ、これを利用して溶離液の組成を変化させ、更に、溶出時間導出手段を用いて、溶出時間を予測するものである。
更に、第二の本発明においては、使用者が入力、選択又はプログラムによって推奨されたグラジエントパターンをあらわす式をグラジエント入力手段から入力し、これを数式変換手段によって、溶媒の混合比の変化関係式に変換し、これに基づいて溶媒の混合比を変化させ、カラムクロマトグラフを行うものである。第二の本発明においても、グラジエントパターンをあらわす式に基づいて溶出時間を予測することができる。
【産業上の利用可能性】
【０１１２】
本発明の液体クロマトグラフは、研究室等における実験に際して、精密な分離を簡便に行うために使用することができる。
【符号の説明】
【０１１３】
１０ 溶離液
１１ 液体クロマトグラフ
１８ カラム
２１  液体クロマトグラフ制御装置
３０  薄層クロマトグラフ
３１  薄層板
３３  溶離液
５１  溶媒の混合比の変化を表すグラフ
５２  特定の成分についての実際のＲｆを表すグラフ
５３  特定の成分に期待されるＲｆを表すグラフ
５４  ５３の関係式に対応した溶媒の混合比の変化を表すグラフ
【図２】
2015010874.tif 000044
【図３】
2015010874.tif 000045
【図４】
2015010874.tif 000046
【図１】
2015010874.tif 000047
【図５】
2015010874.tif 000048
【図６】
2015010874.tif 000049
【図７】
2015010874.tif 000050